(57)【要約】【課題】  簡単な構成により、印刷速度が高速化しても、給紙部からスイング機構を介して確実に渡し胴に給紙することが可能なオフセット印刷機を提供する。【解決手段】  本発明は、給紙部から渡し胴に枚葉紙を供給するスイング機構１０が、枚葉紙Ｐの先端を把持して渡し胴１４の爪部に引き渡すまで揺動するスイングレバー１１と、スイングレバー１１の揺動位置に応じてスイング爪１３を爪台１２に対して開閉するカム２１及び第１コロ２２、第２コロ２３から成るスイング爪開閉装置２０と、を具備する。このカム２１が溝カムとして形成されることで印刷速度が高速化しても、第１コロ２２、第２コロ２３の何れかが内側カム面２１ａまたは外側カム面２１ｂに当接しているので、スイング機構が枚葉紙を給紙部から渡し胴に確実に引き渡すことが可能となり、印刷効率の低下を防止できる。【選択図】        図１
2006150683.tif 000002
【特許請求の範囲】
【請求項１】
給紙部から渡し胴に対して枚葉紙を供給するスイング機構を備えるオフセット印刷機において、
前記スイング機構は、前記給紙部から供給される枚葉紙の先端を把持して前記渡し胴に該枚葉紙を引き渡すように揺動するスイングレバーと、前記スイングレバーの揺動に応じて該スイングレバーの先端付近に枢支されたスイング爪を前記スイングレバーの先端に固定された爪台に対して開閉するカム及びコロから成るスイング爪開閉装置と、を備え、
前記カムは、前記スイングレバーの揺動軸の一側に開口する溝カムとして形成されていることを特徴とするオフセット印刷機。
【請求項２】
前記コロは、前記溝カムの内側カム面に当接する第１のコロと、外側カム面に当接する第２のコロと、から構成されていることを特徴とする請求項１記載のオフセット印刷機。
【請求項３】
前記内側カム面は、前記外側カム面に対して前記スイングレバーの軸方向にずれて配置されていることを特徴とする請求項１又は２記載のオフセット印刷機。
【発明の詳細な説明】
【技術分野】
【０００１】
本発明は、多色刷のオフセット印刷機に関し、特に給紙部から搬送される枚葉紙を間欠的に渡し胴に引き渡すためのスイング機構を備えるオフセット印刷機に関する。
【背景技術】
【０００２】
従来、例えば特許文献１による枚葉多色刷オフセット印刷機は、図４に示すように構成されている。
図４において、オフセット印刷機１は、例えば、イエロー、マゼンタ、シアン、ブラックの各色毎に印刷ユニット１ａ、１ｂ、１ｃ、１ｄを備えている。なお、図４においては、構成を見易くするために、インキング部や水浸し部等の詳細構成が省略されている。
上記印刷ユニット１ａ〜１ｄは、それぞれ版胴２ａ〜２ｄ、ブランケット胴３ａ〜３ｄ、圧胴４ａ〜４ｄを備えており、圧胴４ａ〜４ｄのそれぞれの間には中間胴５ａ、５ｂ、５ｃを備えている。
【０００３】
さらに、これらの印刷ユニット１ａの前段には給紙部６が設けられ、印刷ユニット１ｄの後段には排紙部７が設けられている。これにより、給紙部６から給紙テーブル６ａ、スイング機構６ｂ及び渡し胴６ｃを介して枚葉紙Ａが最初の印刷ユニット１ａのブランケット胴３ａと版胴２ａとの間に給紙されると共に、最後の印刷ユニット１ｄの圧胴４ｄからデリバリ胴７ａ、チェーングリッパ７ｂを介して排紙部７の排紙台７ｃ上に枚葉紙Ａが排紙される。
【０００４】
上記各印刷ユニット１ａ〜１ｄは、夫々同じ構成であって、版胴２ａ〜２ｄの周面に沿って装着された刷版（図示せず）に対して印刷インキが塗布されることにより、刷版上に塗布された印刷インキがブランケット胴３ａ〜３ｄ上に転写され、さらにブランケット胴３ａ〜３ｄに対して圧胴４ａ〜４ｄにより圧接される枚葉紙上に転写されることにより、印刷が行なわれる。
【０００５】
ここで、上記スイング機構は、例えば特許文献２によれば、図５に示すように構成されている。
図５において、特許文献２のスイング機構８は、給紙部６の給紙テーブル６ａから所定の停止位置に供給される枚葉紙Ｐの先端を把持して、渡し胴６ｃの爪部６ｄへ引き渡すように構成されている。
【０００６】
スイング機構８は、回転軸８ａの周りに揺動可能に支持されているスイングレバー８ｂと、スイングレバー８ｂの先端付近にて爪台８ｃに対して開閉可能に取り付けられたスイング爪８ｄを備えている。
スイング爪８ｄは、回転軸８ｅの周りに揺動可能に支持されていると共に、スイング爪８ｄの側面に回転可能に取り付けられたコロ８ｆが固定配置されたカム８ｇのカム面８ｈに対してバネ８ｉの引張力により弾性的に当接する構成を備えている。
【０００７】
このような構成のオフセット印刷機１によれば、各版胴２ａ〜２ｄにそれぞれ刷版が取り付けられた状態で、給紙部６からスイング機構８により渡し胴６ｃに給紙された枚葉紙Ｐが、各印刷ユニット１ａ〜１ｃにて順次に対応する印刷インキによる印刷が行なわれた後、それぞれ中間胴５ａ〜５ｃの爪部によりその周面に保持されて、次の印刷ユニットへと引き渡され、最後に印刷ユニット１ｄにて印刷が行なわれ、排紙部７により排紙台７ｃ上に排紙されて積層される。これにより、各枚葉紙に対して順次に印刷処理が行われる。
【０００８】
その際、給紙部６の給紙テーブル６ａから枚葉紙Ｐが所定の停止位置に供給される度に、まずスイング機構８のスイングレバー８ｂが回転軸８ａにより回転駆動されて、給紙部６側に揺動されると、スイング爪８ｄに取り付けられたコロ８ｆがバネ８ｉの引張力によりカム８ｇのカム面８ｈに沿って転動する。
これにより、スイングレバー８ｂがカム面８ｈの形状に基づいて、給紙部６側に移動してスイング爪８ｄと爪台８ｃにより枚葉紙９の先端を挟持する。
【０００９】
続いて、スイングレバー８ｂが回転軸８ａを中心に逆方向に揺動されて、渡し胴６ｃ側へ揺動され、スイング爪８ｄに取り付けられたコロ８ｆがバネ８ｉの引張力によりカム８ｇのカム面８ｈに沿って転動する。
これにより、スイングレバー８ｇがカム面８ｈの形状に基づいて、渡し胴６ｃ側に移動してスイング爪８ｄが爪台８ｃから離反して開放され、挟持していた枚葉紙Ｐの先端を渡し胴６ｃの爪部６ｄに対して引き渡し、その後、スイングレバー８ｂが再び給紙部６側に向かって揺動される。
以上の動作が、枚葉紙毎に繰返し行なわれることにより、枚葉紙が給紙されるように構成されている。
【特許文献１】実公平０４−０１５４８７号    第２図
【発明の開示】
【発明が解決しようとする課題】
【００１０】
しかしながら、従来のオフセット印刷機１においては、スイング機構８のスイング爪８ｄを開閉するためのスイング爪開閉装置として、板状のカム（板カム）８ｇと、このカム８ｇの外側のカム面８ｈ上を転動するカムフォロワとしてのコロ８ｆが使用されており、スイング爪８ｄに取り付けられたコロ８ｆがバネ８ｉの引張力に基づいて、カム面８ｈに弾性的に付勢されることにより、スイングレバー８ｂの揺動に伴ってコロ８ｆがカム８ｇのカム面８ｈの形状に追従して転動するようになっている。
【００１１】
このため、オフセット印刷機１の印刷速度が速くなると、スイングレバー８ｂの揺動速度に対して、コロ８ｆがカム面８ｈに追従しづらくなり、コロ８ｆがカム面８ｈから浮き上がったり、カム面８ｈの形状によってはコロ８ｆがカム面８ｈから跳びはねるといった現象が生じていた。
これにより、スイング機構８が給紙部６から枚葉紙を確実に渡し胴６ｃに対して引き渡すことができなくなることがあり、印刷効率が低下してしまうという問題点があった。
【００１２】
本発明は、以上の問題点に鑑みて成されたものであり、簡単な構成により、印刷速度が高速化した場合でも、給紙部からスイング機構を介して確実に渡し胴に枚葉紙の給紙が行なわれるようにしたオフセット印刷機を提供することを目的とする。
【課題を解決するための手段】
【００１３】
前記課題を解決するため、本発明の請求項１記載の発明は、給紙部から渡し胴に対して枚葉紙を供給するスイング機構を備えるオフセット印刷機において、前記スイング機構は、前記給紙部から供給される枚葉紙の先端を把持して前記渡し胴に該枚葉紙を引き渡すように揺動するスイングレバーと、前記スイングレバーの揺動に応じて該スイングレバーの先端付近に枢支されたスイング爪を前記スイングレバーの先端に固定された爪台に対して開閉するカム及びコロから成るスイング爪開閉装置と、を備え、前記カムは、前記スイングレバーの揺動軸の一側に開口する溝カムとして形成されていることを特徴とする。
【００１４】
請求項２記載の発明は、請求項１記載の発明において、前記コロは、前記溝カムの内側カム面に当接する第１のコロと、外側カム面に当接する第２のコロと、から構成されていることを特徴とする。
【００１５】
請求項３記載の発明は、請求項１又は２記載の発明において、前記内側カム面は、前記外側カム面に対して前記スイングレバーの軸方向にずれて配置されていることを特徴とする。
【発明の効果】
【００１６】
以上の構成からなる本願発明によれば、給紙部から枚葉紙が所定の位置に供給されると、スイング機構のスイングレバーが給紙部側へ揺動すると共に、開放状態のスイング爪と爪台との間に枚葉紙の先端が進入することになり、スイング爪がスイング爪開閉装置により爪台に対して閉じられることで枚葉紙の先端がスイング機構のスイング爪により把持される。次に、スイング機構のスイングレバーが逆方向に揺動されて渡し胴側へ揺動すると、スイング爪がスイング爪開閉装置により爪台から離反して開放されることにより、枚葉紙の先端がスイング爪から解放され、渡し胴の爪部に引き渡されることになる。この場合、スイング爪開閉装置のカムが、溝カムとして形成されていることから、スイング爪開閉装置を構成するコロが転動の際にカムの溝を形成する内側カム面及び外側カム面に当接することになる。
【００１７】
従って、印刷速度が高速になり、スイングレバーの揺動に伴って、例えば内側カム面上を転動するコロがカム面から浮き上がったり、跳びはねようとしたとしても、コロが反対側の外側のカム面に当接することにより、コロのカム面からの離反を抑制することができる。これにより、コロは、スイングレバーの揺動に伴って確実にカム面上を転動することとなり、スイングレバーの揺動角度に応じて確実にスイング爪が開閉されることになる。
このようにして、オフセット印刷機の印刷速度が高速化した場合でも、スイング機構が枚葉紙を給紙部から渡し胴に確実に引き渡すことが可能となり、印刷効率の低下を防止することができる。
【００１８】
また、スイング爪開閉装置におけるコロが、溝カムの内側カム面に当接する第１のコロと、外側カム面に当接する第２のコロと、から構成されており、スイングレバーの揺動の際に、第１のコロが内側カム面上を転動し、第２のコロが外側カム面上を転動するように構成する。
従って、第１のコロが内側カム面から浮き上がったとき、第２のコロが外側カム面に当接することとなり、第１のコロが外側カム面に当接して急激に逆回転するようなことがなく、スイングレバーを円滑に揺動させることができる。
【００１９】
さらに、スイング爪開閉装置の内側カム面が、外側カム面に対して、スイングレバーの軸方向に関してずれて配置されることで、第１のコロ及び第２のコロも互いに軸方向にずれて配置されることになり、双方のコロがスイングレバーの同一半径上に配置されることになる。
従って、内側カム面及び外側カム面が揺動レバーの揺動角度に対して同位相になるので、形状を簡略化することができ、容易に作成することができる。
【００２０】
このようにして、本発明によれば、オフセット印刷機の印刷速度が高速化した場合でも、スイング機構のコロがカム面から離反してしまうことがなく確実にスイング爪の開閉を行なうことができるので、スイング機構が枚葉紙を給紙部から渡し胴に確実に引き渡すことが可能となり、印刷効率の低下を防止するという効果を奏する。
【発明を実施するための最良の形態】
【００２１】
以下、添付図面を参照して本発明に係るオフセット印刷機の実施の形態を詳細に説明する。
【実施例１】
【００２２】
図１は、本発明によるオフセット印刷機の一実施形態の要部であるスイング機構の構成を示す拡大図である。
図１において、スイング機構１０は、スイングレバー１１と、爪台１２と、スイング爪１３と、スイング爪開閉装置２０と、を含んでいる。
【００２３】
スイングレバー１１は、回転軸１１ａの周りに揺動可能に支持され、揺動機構によって給紙部側と渡し胴１４側との間を繰返し往復揺動するように動作する。
【００２４】
爪台１２は、外側面が半径方向外側に露出するようにスイングレバー１１に固定されている。
また、スイング爪１３は、スイングレバー１１の先端付近にて揺動軸１３ａの周りに揺動可能に枢支されており、後述するスイング爪開閉装置２０により爪台１２の外側面に対して半径方向外側から枚葉紙を挟持するように開閉動作する。さらに、スイング爪１３は、バネ１３ｂにより付勢されている。
【００２５】
スイング爪開閉装置２０は、固定配置されたカム２１と、スイング爪１３上に備えられた一対の第１コロ２２、第２コロ２３と、から構成されている。
【００２６】
上述した本願発明におけるカム２１は、図２及び図３に詳細に示すように溝カムとして構成されている。
具体的に、カム２１は、図５に示した従来のスイング機構８における板カム８ｇの外側のカム面８ｈと同じ形状の内側カム面２１ａと、外側に配置された外側カム面２１ｂと、を備えており、内側カム面２１ａと外側カム面２１ｂとにより画成される溝がスイングレバー１１の一側（図１にて紙面手前側）に開口している。
ここで、外側カム面２１ｂの形状は、内側カム面２１ａに対してほぼ同じ幅を画成するように選定されていると共に、図３に示すように、内側カム面２１ａは、外側カム面２１ｂに対して軸方向にずれて配置されている。
【００２７】
第１コロ２２は、カム２１の内側カム面２１ａに当接し、また第２コロ２３は、カム２１の外側カム面２１ｂに当接するように配置される。
そして、第１コロ２２及び第２コロ２３は、でスイング爪１３に対して回転可能に取り付けられている。
ここで、前述したようにスイング爪１３がバネ１３ｂにより図１にて反時計周りに付勢されていることにより、は第１コロ２２がカム２１の内側カム面２１ａに当接するようになっている。
【００２８】
本発明の実施形態によるオフセット印刷機は以上のように構成されており、印刷を行なう場合、図１に示すように、給紙部の給紙テーブルから所定の停止位置まで枚葉紙Ｐが供給されたとき、スイングレバー１１が給紙部側へ揺動され、この揺動に伴ってスイング爪開閉装置２０の第１コロ２２及び第２コロ２３がカム２１の内側カム面２１ａ、外側カム面２１ｂ上を転動することにより、それぞれのカム面の形状に基づいて、スイング爪１３が爪台１２から離反して開放する。これにより、スイング爪１３と爪台１２との間に、相対的に枚葉紙Ｐが挿入されることになる。
そして、スイング爪開閉装置２０のコロ２２、２３は、カム２１の内側カム面２１ａ、外側カム面２１ｂ上を転動して、スイング爪１３が爪台１２に対して閉じられることによって、スイング機構１０により枚葉紙Ｐの先端が把持されることになる。
【００２９】
次に、スイング機構１０のスイングレバー１１が逆方向に揺動されて渡し胴１４側まで揺動されると、スイング爪開閉装置２０のコロ２２、２３は、カム２１の内側カム面２１ａ、外側カム面２１ｂ上を転動して、スイング爪１３が爪台１２から離反されて開放される。これにより、枚葉紙Ｐの先端がスイング爪開閉装置２０から解放され、渡し胴１４の爪部１４ａに引き渡され、渡し胴１４を介して最初の印刷ユニットの圧胴１５（鎖線図示）に対して搬送され、枚葉紙Ｐに対する印刷が行なわれる。
【００３０】
この場合、スイング機構１０のスイング爪開閉装置２０におけるカム２１が溝カムとして構成されているので、オフセット印刷機の印刷速度が高速化することでスイング機構１０のスイングレバー１１の揺動速度が早くなった場合、スイング爪開閉装置２０の第１コロ２２、第２コロ２３の何れかがカム２１の内側カム面２１ａまたは外側カム面２１ｂから浮き上がろうとしても、他方のコロがカム面に当接することによって浮き上りを抑制し、何れかの第１コロ２２、第２コロ２３が常にカム２１の内側カム面２１ａまたは外側カム面２１ｂに当接している。
【００３１】
従って、第１コロ２２、第２コロ２３が常に強制的にカム２１の内側カム面２１ａ、外側カム面２１ｂの形状に追従して転動することにより、スイング爪１３が、常に所定の開閉動作を行なうこととなり、確実に枚葉紙Ｐの先端を給紙部の給紙テーブルから供給された所定の停止位置から渡し胴１４への引き渡し位置まで確実に搬送することができる。
【００３２】
このようにして、オフセット印刷機の印刷速度が高速化しても、スイング機構１０のスイング爪開閉装置２０により、スイング爪１３がスイングレバー１１の揺動位置に対応して確実に開閉され得るので、枚葉紙Ｐが確実に渡し胴１４に引き渡されることになる。
【産業上の利用可能性】
【００３３】
上述した実施形態においては、スイング機構１０は、溝カム２１に対して、一対の第１コロ２２、第２コロ２３を有しているが、これに限らず、一つのコロとしてもよい。この場合、コロは、通常溝カム２１の内側カム面２１ａに対して当接しているが、当該コロが内側カム面２１ａから浮き上がろうとしたとき、外側カム面２１ｂに当接することにより、浮上りが抑制され得ることになる。
また、上述した実施形態においては、カム２１の内側カム面２１ａ、外側カム面２１ｂの幅は、ほぼ一定に選定されているが、内側カム面２１ａ、外側カム面２１ｂの形状を互いに異ならせることにより、スイングレバー１１の揺動の際に往復でスイング爪の開閉状態を個別に設定することも可能である。
さらに、上述した実施形態においては、オフセット印刷機は、枚葉紙の片面に対して四色刷り印刷を行なうようになっているが、これに限らず、単色刷り、二色刷り、三色刷りあるいは五色以上の多色刷りや、両面印刷を行なうオフセット印刷機であっても、本発明を適用し得ることは言うまでもない。
このようにして、本発明によれば、簡単な構成により、印刷速度が高速化しても、給紙部からスイング機構を介して確実に渡し胴に対して給紙することが可能な極めて優れたオフセット印刷機を提供することが可能となる。
【図面の簡単な説明】
【００３４】
【図１】本発明によるオフセット印刷機の一実施形態の要部であるスイング機構の構成を示す拡大図である。
【図２】スイング機構におけるカムを示す拡大平面図である。
【図３】カムの断面図である。
【図４】従来のオフセット印刷機の全体構成を示す概略断面図である。
【図５】従来のスイング機構の構成を示す概略断面図である。
【符号の説明】
【００３５】
１０    スイング機構
１１    スイングレバー
１１ａ  回転軸
１２    爪台
１３    スイング爪
１３ａ  揺動軸
１３ｂ  バネ
１４    渡し胴
１４ａ  爪部
１５    圧胴
２０    スイング爪開閉装置
２１    カム（溝カム）
２１ａ  内側カム面
２１ｂ  外側カム面
２２    第１コロ
２３    第２コロ
Ｐ      枚葉紙
【図１】
2006150683.tif 000003
【図２】
2006150683.tif 000004
【図３】
2006150683.tif 000005
【図４】
2006150683.tif 000006
【図５】
2006150683.tif 000007